(57)【要約】【課題】  不正に設定変更操作を行う等の行為を防止する。【解決手段】  下扉１５の裏面側上部に移動部材５３を設けておき、不正に設定変更操作が行われたことを検知した場合には、移動部材５３を突出させて下扉１５が閉じないようにするとともに、スピーカ３１及びランプを用いてエラーを報知するようにした。このように、不正行為が行われたときに下扉１５が閉じないようにすることで、不正行為が行われたことを早期に発見することが出来るようになる。また、スロットマシン１１がこのような構成になっていることを周知させておくことによって、不正行為が行われるのを未然に防止することが可能になる。【選択図】        図８
2007117418.tif 000002
【特許請求の範囲】
【請求項１】
開閉自在な前面扉が上扉と下扉とに分割された筐体を備え、前記下扉を閉じた状態では前記上扉の開閉動作が不能になる遊技機において、
前記遊技機のエラーを検知したときにエラー検知信号を出力するエラー検知手段と、
前記上扉及び下扉のいずれか一方に設けられ、前記下扉の開閉動作を阻止する突出位置と、前記下扉の開閉動作を許容する退避位置との間で移動可能な移動部材と、
前記エラー検知信号に応答して前記移動部材を前記退避位置から突出位置へ移動させる移動制御手段とを備えたことを特徴とする遊技機。
【請求項２】
前記筐体は、リール及び前記上扉を有する分離ユニットと、メダル払い出し装置及び前記下扉を有し、前記分離ユニットが着脱自在に取り付けられる据置ユニットとからなり、
前記移動部材は、前記下扉の裏面側に設けられていることを特徴とする請求項１記載の遊技機。
【請求項３】
前記上扉及び下扉のいずれか一方には前記移動部材が設けられ、その他方には、前記突出位置に位置付けられた前記移動部材と嵌合する嵌合部と、前記移動部材が前記嵌合部と嵌合したことを検知したときに突出検知信号を出力するセンサとが設けられ、
前記突出検知信号に応答してエラーを報知するエラー報知手段とを備えたことを特徴とする請求項１又は２記載の遊技機。
【発明の詳細な説明】
【技術分野】
【０００１】
本発明は、パチンコ店等の遊技場で使用されるスロットマシン等の遊技機に関するものである。
【背景技術】
【０００２】
パチンコ店等の遊技場に設置して使用されるスロットマシンは、その遊技媒体となっているメダルに一定の価値が付与されて、ゲーム（遊技）を行って獲得したメダルを種々の景品に交換することができる。このようなスロットマシンでは、当選確率が異なる複数の抽選テーブルが予め設けられており、これら抽選テーブルのうちの１つを遊技中に使用する抽選テーブルとして設定する設定変更操作部を備えている。上述した複数の抽選テーブルのそれぞれには設定値が割り振られており、設定変更操作部では設定値の変更を行う。
【０００３】
設定値の変更は次のように行う。すなわち、電源装置に設けられた電源スイッチをオフにし、キー穴に所定のキーを差し込み、そのキーをオフ位置からオン位置に回転させた後に電源スイッチをオンにする。電源スイッチをオンにすると、前面扉に設けられた設定値表示窓に現在の設定値が表示されるので、その設定値を参照しながら設定変更ボタンを操作して、設定値表示窓に表示される設定値を変更する。所望の設定値が設定値表示窓に表示された時にスタートレバーを操作すると、設定値が確定される。設定値が確定された後、キーをオン位置からオフ位置に回転させると、新たに設定された設定値に対応した抽選テーブルを使用して遊技が行われる。なお、設定値の変更は、パチンコ店の店員等のような正規のキーの所持者しか行えないため、遊技者が設定値の変更を行うことはできないようになっている。
【０００４】
しかし、近年、正規のキーを所有しない不正行為者が前面扉を開放し、不正に設定変更操作部を操作して設定値を変更する等のゴト行為が多発している。これにより、遊技店は大きな損害を被っている。そこで、このようなゴト行為が行われるのを防止する方法として、筐体の正面側に凸部を有する凸部部材を、前面扉の裏面側に凸部と嵌合可能な凹部を有する凹部部材を備え、前面扉が閉まっている時には凸部と凹部とが嵌合するように凸部部材を位置付けておき、前面扉を開けて凸部と凹部との嵌合が解除された時には、再度前面扉が閉められた時に凸部と凹部とが嵌合しないように凸部部材を移動させる移動機構を備えた遊技機が考案されている。
【特許文献１】特開２００５−１３１１５６号公報
【発明の開示】
【発明が解決しようとする課題】
【０００５】
しかしながら、特許文献１に記載されている遊技機の場合には、不正行為が行われたか否かに関わらず、前面扉が開けられると凸部部材が移動するようになっているので、遊技店の店員が前面扉を開けた場合であっても、前面扉を閉める時には、凸部が凹部と嵌合する位置まで凸部部材を移動させるという操作を行わなければならない。このため、遊技場に設定されている全てのスロットマシンの設定変更を行うような場合には、前面扉の開閉操作が煩雑になるという問題点がある。特に、大規模な遊技店の場合には多数のスロットマシンが店内に配設されるので、上述した問題点はより深刻なものとなる。
【０００６】
本発明は、上述した問題点に鑑みてなされたものであり、不正行為が行われた場合にのみ前面扉の開閉動作を阻止する遊技機を提供することを目的とする。
【課題を解決するための手段】
【０００７】
上記問題点を解決するにあたり、本発明の遊技機は、開閉自在な前面扉が上扉と下扉とに分割された筐体を備え、前記下扉を閉じた状態では前記上扉の開閉動作が不能になる遊技機において、前記遊技機のエラーを検知したときにエラー検知信号を出力するエラー検知手段と、前記上扉及び下扉のいずれか一方に設けられ、前記下扉の開閉動作を許容する退避位置と、前記開閉動作を阻止する突出位置との間で移動可能な移動部材と、前記エラー検知信号に応答して前記移動部材を前記退避位置から突出位置へ移動させる移動制御手段とを備えたことを特徴とする。なお、遊技機のエラーには、例えば、遊技店の店員等のような正規のキーの所持者以外の者が下扉を開けることや、このような者が下扉を開けて設定変更操作をすること、ホッパー装置を誤動作させてメダルを不正に払い出させること等が挙げられる。
【０００８】
なお、前記筐体は、リール及び前記上扉を有する分離ユニットと、メダル払い出し装置及び前記下扉を有し、前記分離ユニットが着脱自在に取り付けられる据置ユニットとからなり、前記移動部材は、前記下扉の裏面側に設けられていることが好ましい。
【０００９】
また、前記遊技機は、前記上扉及び下扉のいずれか一方には前記移動部材が設けられ、その他方には、前記突出位置に位置付けられた前記移動部材と嵌合する嵌合部と、前記移動部材が前記嵌合部と嵌合したことを検知したときに突出検知信号を出力するセンサとが設けられ、前記突出検知信号に応答してエラーを報知するエラー報知手段とを備えたことが好ましい。
【発明の効果】
【００１０】
本発明の遊技機によれば、開閉自在な前面扉が上扉と下扉とに分割された筐体を備え、前記下扉を閉じた状態では前記上扉の開閉動作が不能になる遊技機において、前記遊技機のエラーを検知したときにエラー検知信号を出力するエラー検知手段と、前記上扉及び下扉のいずれか一方に設けられ、前記下扉の開閉動作を許容する退避位置と、前記開閉動作を阻止する突出位置との間で移動可能な移動部材と、前記エラー検知信号に応答して前記移動部材を前記退避位置から突出位置へ移動させる移動制御手段とを備えたので、エラー検知手段が遊技機のエラーを検知した場合に下扉の開閉動作が阻止される。したがって、下扉が開放されて不正行為が行われていることをエラー検知手段が検知した場合には、移動制御手段が移動部材を突出位置に移動させることによって下扉が閉まらないようにすることができ、不正行為が行われていることを発見しやすくすることが可能になる。また、下扉を開放する操作が不正に行われていることをエラー検知手段が検知した場合には、移動制御手段が移動部材を突出位置に移動させることによって下扉を開放しないようにすることができ、不正行為が行われるのを未然に防止することが可能になる。また、移動制御手段は、エラー検知信号に応答して移動部材を退避位置から突出位置へ移動させるので、遊技店の店員等が設定変更を行うときには、移動部材を退避位置に位置付けた状態に維持させることができる。したがって、遊技店の店員等が下扉を開閉させる場合には、下扉の閉操作時における操作の煩雑さを減少させることが可能になる。
【００１１】
また、前記筐体は、リール及び前記上扉を有する分離ユニットと、メダル払い出し装置及び前記下扉を有し、前記分離ユニットが着脱自在に取り付けられる据置ユニットとからなり、前記移動部材は、前記下扉の裏面側に設けられているので、分離ユニットが交換された場合でも、据置ユニットが交換されなければ、移動手段はそのまま継続して使用することができる。したがって、分離ユニットに移動部材を設けるような手間を軽減することが可能になるとともに、分離部を製造する際のコストアップを抑えることが可能になる。
【００１２】
また、前記遊技機は、前記上扉及び下扉のいずれか一方には前記移動部材が設けられ、その他方には、前記突出位置に位置付けられた前記移動部材と嵌合する嵌合部と、前記移動部材が前記嵌合部と嵌合したことを検知したときに突出検知信号を出力するセンサとが設けられ、前記突出検知信号に応答してエラーを報知するエラー報知手段とを備えたから、エラー検知信号に基づくエラーの報知が不正行為によって行われないようにされた場合であっても、突出位置に移動した移動部材が嵌合部と嵌合し、そのことをセンサが検知することによってエラーを報知することができる。このとき、不正行為者は下扉を開放することができないので、下扉を開放して設定変更操作を行う等の不正行為を行えないようにすることが可能になる。また、不正行為者は、下扉を開放してエラーの報知を解除することもできないので、実際に不正行為が行われた場合には、その不正行為を確実に発見することが可能になる。また、遊技機が上述したような構成になっていることを事前に広く知らせておくことによって、不正に当選確率を変更しようとする行為を抑制することが可能になる。
【発明を実施するための最良の形態】
【００１３】
本発明を適用したスロットマシンについて説明する。図１に示すように、スロットマシン（遊技機）１１は、収納箱１２と、収納箱１２の前面に設けられた前面扉１３とからなる筐体１４から構成されている。
【００１４】
前面扉１３は、上扉１５と下扉１６との２枚の扉から構成されている。上扉１５は、下扉１６が開放されたときにのみ開閉動作が行えるようになっている。上扉１５には表示窓１７が設けられており、その奥側には第１リール１８、第２リール１９及び第３リール２０が配設されている。周知のように、第１リール１８、第２リール１９及び第３リール２０の外周面には、複数種類の図柄が複数個配列されている。第１リール１８、第２リール１９及び第３リール２０が停止すると、第１リール１８、第２リール１９及び第３リール２０の図柄が３個ずつ表示窓１７から表示され、表示窓１７を通して合計９個の図柄が視認できるようになっている。また、表示窓１７の上方には装飾パネル２１が設けられている。装飾パネル２１は、透光性を有する樹脂製の板材で形成されており、その表面には遊技機の名前等を表したイラスト等が描かれている。また装飾パネル２１の奥側には、後述するランプ７９が配設されており、遊技の状態等に応じて発光態様を変化するようになっている。
【００１５】
下扉１６は、遊技を行う際にメダルを投入するメダル投入口２２を備えている。また、下扉１６は、ＭＡＸベットボタン２３やペイアウトボタン２４等の各種操作ボタンを上部に備えている。ＭＡＸベットボタン２３は、投入されたメダルを最大使用枚数（例えば３枚）使用して遊技を行う場合に押圧操作されるボタンである。また、ペイアウトボタン２４は、クレジットされたメダルを払い出す際に押圧操作されるボタンである。なお、投入されたメダルには、メダル投入口２２から投入されたメダルのほかに、クレジットされたメダルも含む。
【００１６】
上述したこれらのボタンの近傍には、スタートレバー２５、並びに第１ストップボタン２６、第２ストップボタン２７及び第３ストップボタン２８が設けられている。スタートレバー２５は、遊技を実行する際や新たに選択した設定値を確定するときに操作される。遊技を実行する場合にスタートレバー２５を操作すると、第１リール１８、第２リール１９及び第３リール２０が回転動作を開始する。第１ストップボタン２６、第２ストップボタン２７及び第３ストップボタン２８は、回転する第１リール１８、第２リール１９及び第３リール２０をそれぞれ停止させる際に押圧操作されるボタンである。
【００１７】
また、下扉１６は、収納箱１２の内部に配設されているホッパー装置（メダル払い出し装置）４４から払い出されるメダルが排出されるメダル排出口２９、メダル排出口２９から払い出されたメダルを受け入れるメダル受け皿３０、遊技に応じて演出音を出力したり、不正行為が行われたことを検知したときにエラー音を出力するスピーカ（エラー報知手段）３１を下部に備えている。
【００１８】
図２に示すように、スロットマシン１１は、分離ユニット４１と据置ユニット４２とから構成されている。遊技場で新たな機種との入れ替えを行う場合には、据置ユニット４２は遊技場に設置されたまま使用され、分離ユニット４１が据置ユニット４２に入れ替えられる。
【００１９】
分離ユニット４１は、スロットマシン１１の機種毎に個別的に使用される装置をユニット化したものである。この分離ユニット４１は、上扉１５、並びに第１リール１８、第２リール１９及び第３リール２０等から構成されている。
【００２０】
据置ユニット４２は、スロットマシン１１の機種を問わず、共通して使用できる装置をユニット化したものである。据置ユニット４２は、収納箱１２、下扉１６、並びに電源装置４３、ホッパー装置４４等の各種装置から構成されている。収納箱１２は、その内部に仕切り板４５が設けられており、これによって収納箱１２の内部は上部空間１２ａと下部空間１２ｂとに仕切られている。上部空間１２ａは、分離ユニット４１が組み込まれるスペースである。また、上部空間１２ａと接する収納箱１２の内面には、分離ユニット４１を組み込む、或いは取り外す際に使用されるガイド（図示せず）、分離ユニット４１の据置ユニット４２への固定、或いは固定解除を行う固定装置（図示せず）が設けられている。
【００２１】
下扉１６の裏面側には、下部にスピーカ３１が取り付けられている。また、下扉１６の裏面側の上部には移動機構５１が取り付けられている。図３に示すように、移動機構５１は、ベース板５２、移動部材５３及びソレノイド５４から構成されている。ベース板５２は、矩形状の板材から構成されており、下扉１６の裏面側の上部に固定されている。また、ベース板５２には、移動部材５３が上下方向に移動する際に移動部材５３を案内するガイド５２ａが設けられている。ガイド５２ａは、ベース板５２の左右両端側に一対となるように設けられている。このガイド５２ａは、ベース板５２から下扉１６の裏面側へ向けて延出した後、これらのガイド５２ａの先端が互いに向き合う方向に屈曲し、さらに屈曲した方向へ延出するように形成されている。また、ガイド５２ａの下部には、下扉１６の開閉動作を許容する退避位置に移動部材５３が位置付けられている時に、移動部材５３の下面の一部と当接する底部が設けられている。
【００２２】
移動部材５３は、矩形状の板材によって構成されており、ソレノイド５４のプランジャ５４ａの先端が下部にネジ止めされている。また、移動部材５３は、ガイド５２ａによって案内されながら上下方向に移動できるように配設されている。ソレノイド５４は、電磁石のオン・オフの切替が行われた時にプランジャ５４ａを上下方向に移動させるように、ベース板５２の下部に取り付けられている。プランジャ５４ａの先端には移動部材５３がネジ止めされており、プランジャ５４ａの移動に伴って移動部材５３が上下方向に移動するように構成されている。ソレノイド５４は、通常は移動部材５３を退避位置に位置付けるようにプランジャ５４ａを移動させている。また、ソレノイド５４は、電気信号が入力されてオン状態になると、図４に示すように、移動部材５３が下扉の開閉動作を阻止する突出位置に移動部材５３に位置付けられるようにプランジャ５４ａを移動させる。
【００２３】
図５に示すように、電源装置４３は、スロットマシン１１の主電源を入れるための電源スイッチ６１、キースイッチ６２、設定変更ボタン６３及びエラー解除ボタン６４を前面に備えている。電源スイッチ６１をオンにすると主電源が投入されて各種制御装置への給電が行われる。
【００２４】
スロットマシン１１には、スロットマシン１１での遊技を実行する遊技モードと、当選確率が異なる６種類の設定値の中から、遊技において使用する設定値を一つ選択することで設定変更を行う設定変更モードとを備えている。遊技モードから設定変更モードへの切替は、電源スイッチ６１がオフの時にキースイッチ６２の鍵穴６５に鍵６６を差し込んで、キースイッチ６２をオフ位置からオン位置に回転させた後、電源スイッチ６１をオンにすることで行われる。
【００２５】
設定変更モードに移行すると、設定変更ボタン６３の押圧操作が有効化される。そして、設定変更ボタン６３を押圧操作すると、設定値が変更される。設定値を変更した後にスタートレバー２５を操作すると、選択した設定値が確定される。その後、鍵穴６５に差し込まれている鍵６６を使用してキースイッチ６２をオン位置からオフ位置に回転操作すると、設定変更モードから遊技モードに移行し、設定された設定値に基づいて当選確率で遊技が実行される。
【００２６】
また、後述する変更許可ボタン８３に設けられている変更許可ボタンセンサ８４から変更許可信号が出力されていないときに設定変更ボタン６３を操作すると、エラーが報知される。このとき、エラー解除ボタン６４を押圧操作すると、エラーの報知が停止される。
【００２７】
次に、スロットマシン１１の電気的構成について説明する。図６に示すように、スロットマシン１１は、遊技場に設置されているスロットマシン１１等を管制するホールコンピュータ７１と接続されている。スロットマシン１１の作動は、基本的には制御部（移動制御手段）７２によって管制されており、スロットマシン１１の状態はホールコンピュータ７１に順次送信されるようになっている。制御部７２は、エラー判定部（エラー検知手段）７３を有している。また、制御部７２は、メモリ７４のほかに、キースイッチセンサ７５、設定変更ボタンセンサ７６、スタートセンサ７７、エラー解除ボタンセンサ７８の各種センサと、ソレノイド５４、ランプ７９及びスピーカ３１のそれぞれと接続しているドライバ８０，８１，８２とが接続されている。
【００２８】
エラー判定部７３は、上述した各種センサから出力される各種信号、及びホールコンピュータ７１が備えている変更許可ボタンセンサ８４から出力される許可信号の有無によってエラーの判定を行う。エラー判定部７３は、電源スイッチ６１がオンにされたときのキースイッチセンサ７５からの出力信号の有無を検知して、スロットマシン１１が遊技モード及び設定変更モードのいずれに切り替えられているかを把握する。スロットマシン１１が設定変更モードに移行しているときには、エラー判定部７３は、設定変更ボタンセンサ７６から設定変更信号が出力されているか否か、及び変更許可ボタンセンサ８４から許可信号が出力されているか否かを判定する。そして、エラー判定部７３は、設定変更信号及び許可信号が出力されていると判定した場合には、設定変更操作が適正に行われている旨の判定信号を制御部７２に出力し、設定変更信号が出力されているものの許可信号が出力されていないと判定した場合には、設定変更操作が不正に行われている旨の判定信号を制御部７２に出力する。
【００２９】
キースイッチセンサ７５は、キースイッチ６２がオンになったことを検知すると、制御部７２にオン信号を出力するように構成されている。設定変更ボタンセンサ７６は、設定変更ボタン６３が押圧操作されたことを検知すると、制御部７２に設定変更信号を出力するように構成されている。スタートセンサ７７は、スタートレバー２５が操作されたことを検知すると、制御部７２にスタート信号を出力するように構成されている。また、エラー解除ボタンセンサ７８は、エラー解除ボタン６６が押圧操作されたことを検知すると、制御部７２にエラー解除信号を出力するように構成されている。
【００３０】
ドライバ８０は、制御部７２から出力された制御信号に基づいて、ソレノイド５４に駆動信号を出力する。ドライバ８１は、制御部７２から出力された制御信号に基づいて、ランプ７９の発光態様を制御する発光信号を出力する。ドライバ８２は、制御部７２から出力された制御信号に基づいて、スピーカ３１に音声信号を出力する。
【００３１】
ソレノイド５４は、ドライバ８０から出力された駆動信号に基づいてプランジャ５４ａを移動させる。例えば、ドライバ８０から駆動信号が出力されてソレノイド５４がオンになった時は、ソレノイド５４はプランジャ５４ａを上部へ押し上げて、移動部材５３を退避位置から突出位置へ移動させる。また、ドライバ８０から駆動信号が出力されなくなってソレノイド５４がオフになった時は、ソレノイド５４はプランジャ５４ａを引き込んで、移動部材５３が突出位置から退避位置へ移動させる。ランプ７９は、ドライバ８１から出力された発光信号に基づいて点灯、或いは点滅する。また、スピーカ３１は、ドライバ８２から出力された音声信号に基づいて、音声を出力する。
【００３２】
ホールコンピュータ７１は、変更許可ボタン８３を備えている。変更許可ボタン８３は、設定変更操作を適正に行う場合に操作するものであって、これをオンにすると、変更許可ボタンセンサ８４が許可信号をエラー判定部７３に向けて出力するように構成されている。
【００３３】
次に、スロットマシン１１の動作について説明する。図７に示すように、制御部７２は、電源スイッチ６１がオンにされると（Ｓ１）、キースイッチ６２がオンにされているか否かを判定する（Ｓ２）。制御部７２は、Ｓ２においてキースイッチ６２がオフになっていると判定したときは、スロットマシン１１を遊技モードに移行させる。一方、制御部７２は、Ｓ２においてキースイッチ６２がオンになっていると判定したときは、スロットマシン１１を設定変更モードに移行させる。制御部７２がスロットマシン１１を設定変更モードに移行させると、エラー判定部７３は、設定変更信号及びスタート信号が出力されたことを検知した後（Ｓ３，Ｓ４）、変更許可ボタンセンサ８４から許可信号が出力されているか否かを判定する（Ｓ５）。エラー判定部７３は、Ｓ５において変更許可ボタンセンサ８４から許可信号が出力されていると判定した場合には、その設定変更操作が適正に行われたと判定した旨の判定信号を制御部７２に出力する。この判定信号を受けた制御部７２は、キースイッチ６２がオフにされたことを検知すると（Ｓ６）、スロットマシン１１を設定変更モードから遊技モードに移行させる。
【００３４】
一方、エラー判定部７３は、Ｓ５において変更許可ボタンセンサ８４から許可信号が出力されていないと判定した場合には、その設定変更操作が不正に行われた旨の判定信号を制御部７２に出力する。この判定信号を受けた制御部７２は、ドライバ８０〜８２に制御信号を出力する。制御信号を受けたドライバ８０は、ソレノイド５４をオンにして、図８に示すように移動部材５３を退避位置から突出位置に位置付けるようにプランジャ５４ａを移動させる（Ｓ７）。また、制御信号を受けたドライバ８１は、通常の遊技では行われない発光態様でランプ７９を発光させる。さらに、制御信号を受けたドライバ８２は、通常の遊技では出力されない音声を出力する。このように、制御部７２は移動部材５３を移動させて下扉１６の閉動作を阻止すると共に、ランプ７９とスピーカ３１を使用してエラーを報知する（Ｓ８）。
【００３５】
制御部７２は、エラーの報知が開始されると、エラー解除信号が出力されたか否かを判定する（Ｓ９）。制御部７２は、Ｓ９においてエラー解除信号が出力されたと判定した場合には、移動部材５３を突出位置から退避位置に移動させるとともに、ランプ７９及びスピーカ３１によるエラーの報知を終了させるように、ドライバ８０に制御信号を出力する（Ｓ１０）。一方、制御部７２は、Ｓ９においてエラー解除信号が出力されていないと判定した場合には、移動部材５３を継続して突出位置に位置付けるとともに、ランプ７９及びスピーカ３１を使用してエラー報知を行う。
【００３６】
なお、エラー報知が行われている場合には、スロットマシン１１を設定変更モードから遊技モードに変更する操作は無効化され、遊技が行えないようになる。ここで、無効化は、例えば、キースイッチ６２をオンからオフに切り替えられなくしても良いし、キースイッチ６２はオンからオフに切り替えられるものの、制御部７２でキースイッチ６２から出力される信号を無効化しても良い。この場合には、エラーが解除された時にスロットマシン１１を設定変更モードから遊技モードに切り替えればよい。
【００３７】
このように、本実施形態のスロットマシンによれば、不正に設定変更が行われた場合にランプ及び音声によるエラーを報知するのみならず、移動部材を突出位置に位置付けるようにプランジャを移動させることによって下扉が閉まらなくすることができる。この場合には、キースイッチをオンからオフに切り替えても設定変更モードから遊技モードに切り替わらないようにしているので、不正行為者は、不正に設定変更した状態で遊技を行うことができなくなり、不正行為によって遊技店が損害を被るような不都合を解消することが可能になる。また、下扉が閉まらない状態は目立つので、不正行為が行われたことを早期に発見することが可能になる。さらに、ホールコンピュータから予め許可信号を出力させておくことによって、移動部材が退避位置から突出位置へ移動したり、エラーの報知が行われないようにすることができるので、遊技店の店員等が設定変更を行う場合の作業効率を落とすような不都合も解消することが可能になる。
【００３８】
なお、本実施形態のスロットマシンにおいては、キースイッチがオンに切り替えられ、設定変更操作が行われた後にエラーを報知することとしているが、本発明はこれに限定されるものではなく、エラーを報知するタイミングは適宜設定することが可能である。例えば、電源スイッチがオンにされた時に、許可信号が出力されているか否かをエラー判定部が判定して、設定変更操作が行われる前にエラーを報知するようにしても良いし、設定変更操作が行われている途中でエラーを報知するようにしても良い。
【００３９】
また、本実施形態のスロットマシンにおいては、移動部材を突出位置に移動させて下扉が閉まらないようにしているが、不正行為が行われたことをスロットマシンが検知したときに移動部材を突出させて、下扉が開放しないようにしてもよい。以下において、本実施形態の変形例のスロットマシンについて説明する。なお、本実施形態のスロットマシンと同一の構成のものについてはその説明を省略し、符号も同一のものを使用する。
【００４０】
図９に示すように、スロットマシン９１は、収納箱９２と、収納箱９２の前面に設けられた前面扉９３とからなる筐体９４から構成されている。前面扉９３は、上扉９５と下扉９６との２枚の扉から構成されている。上扉９５は、下扉９６を開いたときにのみ開閉動作が行えるようになっている。スロットマシン９１は、上扉９５及び下扉９６を開けると、収納箱９２の前面側が開口する。収納箱９２は、正面から収納箱９２を見た場合におけるその右下側に開閉センサ９７を備えている。開閉センサ９７には押しボタン式のセンサが使用されている。開閉センサ９７は、下扉９６が閉まっている場合には、下扉９６が備えている後述する押圧板９８によって押しボタン９７ａが押圧された状態になり、下扉９６が開方向へ移動すると押しボタン９７ａの押圧が解除されるように配設されている。すなわち、開閉センサ９７は、収納箱９２の正面側に対して下扉９６が数ミリ程度開放した場合であっても、その移動が検知できるように配設されている。
【００４１】
下扉９６には、裏面側から下扉９６を見た場合におけるその左下側に押圧板９８が取り付けられている。押圧板９８は、正方形状の板材によって形成されており、下扉９６が閉じたときに押しボタン９７ａが押圧できる大きさに形成されている。なお、開閉センサ９７によって下扉９６の開閉が検知できるのであれば、この押圧板９８の形状は正方形状に限定されないのは勿論である。
【００４２】
上扉９５は、その裏面側に矩形状の挿通孔（嵌合部）９９と、突出センサ（センサ）１００とを備えている。挿通孔９９は、突出位置へ移動した移動部材５３が挿通できる大きさに形成されている。また、挿通孔９９は、上扉９５及び下扉９６が閉められている場合に、突出位置へ移動した移動部材５３が挿通できる位置に形成されている。
【００４３】
突出センサ１００には光電センサが用いられており、その形状はＵ字型になるように形成されている。突出センサ１００は、上扉９５を裏面側から見た場合に、挿通孔９９の左側の一部を囲むように配設されている。突出センサ１００は、移動部材５３が突出位置に移動したことを検知するように設けられている。
【００４４】
次に、本実施形態のスロットマシン９１の電気的構成について説明する。図１０に示すように、スロットマシン９１は、遊技場に設置されているスロットマシン９１等を管制するホールコンピュータ７１と接続されている。スロットマシン９１の作動は、基本的には制御部（移動制御手段）１０１によって管制されており、スロットマシン９１の状態はホールコンピュータ７１に順次送信されるようになっている。制御部１０１は、その内部にエラー判定部（エラー検知手段）１０２を備えている。また、制御部１０１には、キースイッチセンサ７５、設定変更ボタンセンサ７６、スタートセンサ７７、エラー解除ボタンセンサ７８のほかに、開閉センサ９７及び突出センサ１００が接続されている。
【００４５】
エラー判定部１０２は、上述した各種センサから出力される各種信号、及びホールコンピュータ７１が備えている変更許可ボタンセンサ８４から出力される許可信号の有無によってエラーの判定を行う。エラー判定部１０２は、開閉センサ９４から開信号が出力されたか否か、変更許可ボタンセンサ８４から許可信号が出力されているか否かを判定する。そして、エラー判定部１０２は、開信号及び許可信号が出力されていると判定した場合には、下扉９６が適正に開放している旨の判定信号を制御部１０１に出力し、開信号が出力されているものの許可信号が出力されていないと判定した場合には、下扉９６が不正に開放している旨の判定信号を制御部１０１に出力する。
【００４６】
開閉センサ９７は、下扉９６が開放されたことを検知したときに開信号を制御部１０１に出力する。突出センサ１００は、移動部材５３が突出位置に位置付けられたことを検知すると検知信号を制御部１０１に出力する。
【００４７】
次に、本実施形態のスロットマシン９１の動作について説明する。図１１に示すように、電源スイッチ６１が投入され、スロットマシン９１が遊技モードになっている時には、エラー判定部１０２は開閉センサ９７から開信号が出力されたか否かを一定の周期で判定する（Ｓ１１）。エラー判定部１０２は、Ｓ１１において開閉センサ９７から開信号が出力されたと判定した場合には、変更許可ボタンセンサ８４から許可信号が出力されているか否かを判定する（Ｓ１２）。
【００４８】
エラー判定部１０２は、Ｓ１２において許可信号が出力されていないと判定した場合には、下扉９６が不正に開放されようとしている旨の判定信号を制御部１０１に出力する。この判定信号を受けた制御部１０１は、ドライバ８０に制御信号を出力する。制御信号を受けたドライバ８０は、ソレノイド５４を駆動させて、図１２に示す退避位置に位置付けられた移動部材５３を図１３に示す突出位置に移動させる（Ｓ１３）。制御部１０１は、ドライバ８０に制御信号を出力した後に突出センサ１００から出力された検知信号を受けると、ドライバ８１に制御信号を出力する（Ｓ１４）。制御信号を受けたドライバ８１は、通常の遊技では行われない発光態様でランプ７９を発光させる。また、制御信号を受けたドライバ８２は、通常の遊技では出力されない音声を出力する。このようにして、制御部１０１は、ランプ７９及びスピーカ３１を使用してエラーの報知を行う（Ｓ１５）。
【００４９】
ランプ７９及びスピーカ３１によるエラーの報知が開始されると、制御部１０１は、エラー解除スイッチセンサ８４からエラー解除信号が出力されたか否かを判定する（Ｓ１６）。制御部１０１は、Ｓ１６においてエラー解除信号が出力されたと判定した場合には、移動部材５３を図１３に示す突出位置から図１２に示す退避位置へ移動させるとともに、ランプ７９及びスピーカ３１によるエラーの報知を終了させるように、ドライバに制御信号を出力する（Ｓ１７）。一方、制御部１０１は、Ｓ１６においてエラー解除信号が出力されていないと判定した場合には、移動部材５３を突出位置に位置付けるとともに、ランプ７９及び音声によるエラー報知を継続して行わせる。
【００５０】
以上のように、本変形例のスロットマシンによれば、ホールコンピュータから許可信号が出力されていないときに下扉の開動作が開始されたことを検知すると、移動部材を上扉の挿通孔に挿通させて下扉が開かないようにするので、不正行為者が下扉を開けて設定変更を行うような不正行為のみならず、スロットマシン内部に不正な基板を取り付けることによる不正行為等のような種々の不正行為が行われるのを未然に防止することができる。また、本実施形態のスロットマシンによれば、不正行為によって、制御部がランプ及びスピーカによるエラー報知を行えないようにした場合であっても、突出センサの検知信号に基づいて制御部はエラー報知を行うことができる。前述したとおり、不正行為が行われると、下扉は移動部材と挿通孔とが嵌合することによって開放されなくなり、不正行為者はエラー報知を解除することができないので、下扉を開放して設定変更操作を行う等の不正行為を行なえないようにするのみならず、不正行為を確実に発見することが可能になる。また、スロットマシンが上述したような構成になっていることを事前に広く知らせておくことによって、不正に当選確率を変更しようとするような行為を抑制することが可能になる。
【００５１】
なお、本変形例のスロットマシンにおいては、挿通孔と移動部材とが嵌合するようにしているが、この挿通孔は貫通孔である必要はなく、移動部材と嵌合可能な溝であってもよい。
【００５２】
また、本実施形態のスロットマシンにおいては、エラー解除ボタンを電源装置に設けることとしているが、エラー解除ボタンは電源装置以外のところに設けることとしてもよい。この場合には、不正行為者に発見されにくい場所に設けることが好ましい。また、エラー解除ボタンをホールコンピュータに設けておき、ホールコンピュータからの遠隔操作によってスロットマシンのエラーの解除を行えるようにしてもよい。このようにすることで、不正行為者によってエラーの解除が行われるおそれを排除することができるので、不正行為が行われたことを発見しやすくすることが可能になる。また、エラー解除ボタンは、ホールコンピュータ及びスロットマシンの両方に設けておいてもよい。
【００５３】
また、本実施形態のスロットマシンにおいては、ホールコンピュータから許可信号を送信することによって、設定変更時や下扉の開動作開始時に行うエラーの報知を解除することとしているが、本発明はこれに限定されるものではなく、ホールコンピュータ以外のものから許可信号を出力するようにしてもよい。
【００５４】
また、本実施形態では、メダルを使用して遊技を行うスロットマシンに本発明を適用した例について説明したが、本発明はこれに限定されるものではなく、パチンコ球を使用して遊技を行うスロットマシンに適用することも可能である。
【図面の簡単な説明】
【００５５】
【図１】本発明の本実施形態であるスロットマシンの外観を表した外観斜視図である。
【図２】スロットマシンの内部構成及び分離ユニットの構成を表した斜視図である。
【図３】電源装置の盤面の構成を表した拡大斜視図である。
【図４】移動機構の構造を表した拡大斜視図である。
【図５】移動部材が突出位置に移動した状態を表した拡大斜視図である。
【図６】スロットマシンの電気的構成を表したブロック図である。
【図７】スロットマシンのエラー判定及びエラー報知を行う処理の流れを表したフローチャートである。
【図８】移動部材が突出位置に移動して、下扉が閉まらない状態になっているスロットマシンを表した斜視図である。
【図９】本発明の変形例であるスロットマシンの内部構成を表した斜視図である。
【図１０】スロットマシンの電気的構成を表したブロック図である。
【図１１】スロットマシンのエラー判定及びエラー報知を行う処理の流れを表したフローチャートである。
【図１２】上扉及び下扉が閉まっている状態において、移動部材が退避位置に位置付けられているときの移動部材並びに挿通孔及び突出センサの関係を表した説明図である。
【図１３】移動部材が突出位置に移動したときの移動部材並びに挿通孔及び突出センサの関係を表した説明図である。
【符号の説明】
【００５６】
１１，９１  スロットマシン（遊技機）
１３，９３  前面扉
１４，９４  筐体
１５，９５  上扉
１６，９６  下扉
１８  第１リール
１９  第２リール
２０  第３リール
３１  スピーカ（エラー報知手段）
４１  分離ユニット
４２  据置ユニット
４４  ホッパー装置（メダル払い出し装置）
５１  移動機構
５３  移動部材
５４  ソレノイド
７２，１０１  制御部（移動制御手段）
７３，１０２  エラー判定部（エラー検知手段）
７７  ランプ（エラー報知手段）
９９  挿通孔（嵌合部）
１００  突出センサ（センサ）
【図１】
2007117418.tif 000003
【図２】
2007117418.tif 000004
【図３】
2007117418.tif 000005
【図４】
2007117418.tif 000006
【図５】
2007117418.tif 000007
【図６】
2007117418.tif 000008
【図７】
2007117418.tif 000009
【図８】
2007117418.tif 000010
【図９】
2007117418.tif 000011
【図１０】
2007117418.tif 000012
【図１１】
2007117418.tif 000013
【図１２】
2007117418.tif 000014
【図１３】
2007117418.tif 000015